(57)【要約】【課題】棚等に設置する電解水噴霧器は存在する。本発明は、ハンドバッグ等に収容して持ち歩く携帯用として好適なスリム形態の携帯用電解水噴霧器を提供するものであり、特に、噴霧機構部が筒状水タンク部と筒状電解部に対して着脱される構成によって、水タンク部への水の補給が容易であり、その着脱操作も容易に行なえるものとする。【解決手段】外観筒状をなし、中間部に上面に水補給開口を備えた筒状水タンク部を配置し、水補給開口を開閉するように水タンク部の上部に噴霧機構部が水密状態に着脱自在結合され、筒状水タンク部の下部に電源部を配置し、水タンク部内には電解水を生成する電極を含む筒状電解部を備え、筒状電解部は、水タンク部に対して噴霧機構部の着脱に伴って着脱されるよう噴霧機構部から水タンク部内に吊り下げ支持され、筒状電解部は、下部から水タンク部の水が流入しつつ電解水が上部から噴霧機構部へ流れる水の流通路を形成したこと。【選択図】図１
2011110540.tif 000002
【特許請求の範囲】
【請求項１】
外観筒状をなし、中間部に上面に水補給開口を備えた筒状水タンク部を配置し、前記水補給開口を開閉するように前記水タンク部の上部に前記噴霧機構部が水密状態に着脱自在結合され、前記筒状水タンク部の下部に電源部を配置し、前記水タンク部内には前記水タンク部から流入した水を前記電源部から供給される電力によって電解水を生成するプラス電極とマイナス電極を含む筒状電解部を備え、前記筒状電解部は、前記水タンク部に対して前記噴霧機構部の着脱に伴って着脱されるよう前記噴霧機構部から前記水タンク部内に吊り下げ支持され、前記筒状電解部は、下部から前記水タンク部の水が流入しつつ前記電解水が上部から前記噴霧機構部へ流れる水の流通路を形成したことを特徴とする携帯用電解水噴霧器。
【請求項２】
前記電源部から前記プラス電極とマイナス電極への電力供給が、前記噴霧機構部の着脱に伴って接続遮断されることを特徴とする請求項１に記載の携帯用電解水噴霧器。
【請求項３】
前記筒状電解部は、前記水タンク部内中央部に軸方向に配置され、且つ下部に前記水タンク部の水が流入する流入口を備え上部が前記噴霧機構部へ連通した前記軸方向の水の流通路を形成したことを特徴とする請求項１または請求項２に記載の携帯用電解水噴霧器。
【請求項４】
前記プラス電極とマイナス電極は、前記軸方向に並行配置され、前記電解部内の水の流通路が前記プラス電極とマイナス電極の対向面間のみで形成されることを特徴とする請求項１乃至請求項３のいずれかに記載の携帯用電解水噴霧器。
【請求項５】
前記筒状電解部を取り囲んで通水孔を形成した装飾筒が配置され、前記装飾筒は前記水タンク部の底部と上部に亘って支持され、前記装飾筒の上端は前記水補給開口が臨む大きさに開口していることを特徴とする請求項１乃至請求項４のいずれかに記載の携帯用電解水噴霧器。
【請求項６】
前記水タンク部と前記装飾筒は円筒状をなし、前記筒状電解部は前記水タンク部内中央部に軸方向に配置され、前記装飾筒は前記水タンク部と同軸配置であることを特徴とする請求項５に記載の携帯用電解水噴霧器。
【請求項７】
前記プラス電極とマイナス電極は、筒状体内に並行配置の板状電極で構成され、前記水の流通路が前記板状プラス電極と板状マイナス電極の対向面間で形成されたことを特徴とする請求項１乃至請求項６のいずれかに記載の携帯用電解水噴霧器。
【請求項８】
前記噴霧機構部は、上下動可能に組み合わされた手動プッシュ部を備え、前記手動プッシュ部のプッシュ時の加圧空気となる空気の導入孔には、空気は通すが水は通さない選択膜を設けたことを特徴とする請求項１乃至請求項７のいずれかに記載の携帯用電解水噴霧器。
【発明の詳細な説明】
【技術分野】
【０００１】
本発明は、被電解水を電気分解して生成した電解水をスプレー部から噴霧する電解水噴霧器に関し、特に、ハンドバッグ等に収容して持ち歩き、任意の部位に電解水を噴霧してその部位を除菌することに適する携帯用電解水噴霧器に関する。
【背景技術】
【０００２】
インフルエンザ等の流行により、病院や人が出入りする公共施設、または家庭の棚等に設置して手指等を除菌または殺菌する器具があり、その一つとして、被電解水を電気分解して生成した電解水をスプレー部から噴霧する電解水噴霧器の技術が存在する。その電解水噴霧器の一つに、被電解水として容器に収容した塩素化合物の溶液を電気分解し、次亜塩素酸またはその塩の溶液である電解水を生成して、これをスプレー部から噴霧する次亜塩素酸生成噴霧器がある（特許文献１参照）。
【０００３】
これは多量の塩素化合物の溶液を容器に収容し、この容器の上端にトリガスプレーヤーを着脱自在に取り付け、この取り付けによってトリガスプレーヤーから延びたディップチューブが容器内の塩素化合物の溶液に浸り、指でピストルの引き金を引くようにトリガを操作することにより、１回のトリガ操作によって、０．１ｍｌ〜１ｍｌの塩素化合物の溶液が容器内から汲み上げられてノズルから噴霧されるものである。
【０００４】
また、電解水噴霧器の他の形態として、略円筒状の容器本体２Ａの上面と下面に２段円筒状のキャップ２Ｂと円板状のキャップ２Ｃが取り付けられて容器２を構成し、この容器２の上部に、噴霧機構である手動スプレーポンプ３が取り付けられたものがある。これは、容器本体２Ａの上面に形成した隔壁６の上側に、キャップ２Ｂ内に電解溶液を貯留するタンク４が形成され、この隔壁６の下側で容器２内に電解槽５が形成され、手動スプレーポンプ３から下方へ延びたノズル３ａが容器２の中心に配置され、手動スプレーポンプ３を押し圧操作するごとに、電解槽５の電解水が所定量、ノズル３ａに吸引されて噴霧口３ｂから噴霧される構成の電解水生成噴霧器である（特許文献２参照）。
【０００５】
特許文献２のものは、容器２の容器本体２Ａ内は、上部に電解槽５が形成され、電解槽５の下方に２本のバッテリとバッテリの電流を制御する基板が背中合わせに配置され、バッテリと基板の下方を下部のキャップ２Ｃが覆う構成である。
【０００６】
即ち、特許文献２のものは、被電解水を入れるタンク４と電解槽５が上下関係の配置となるように、タンク４がキャップ２Ｂ内に形成され、電解槽５が容器本体２Ａに形成された状態で、容器本体２Ａの上端にキャップ２Ｂがネジ結合される構成である。そして、手動スプレーポンプ３から下方へ延びたノズル３ａが容器２の中心に配置されるために、電解槽５が容器本体２Ａの上部の一方に偏った位置に配置されている。
【先行技術文献】
【特許文献】
【０００７】
【特許文献１】特開２００４−１３０２６３号公報
【特許文献２】特開２００９−１５４０３０号公報
【発明の概要】
【発明が解決しようとする課題】
【０００８】
この特許文献１のものは、図示された全体形態からして、病院や人が出入りする公共施設や病院、または家庭等の棚等に設置して使用するものであり、携帯用として開発されたものではないことが、一見して判明する。
【０００９】
また特許文献２のものは、上記のように、被電解水を入れるタンク４がキャップ２Ｂ内に形成され、電解水を生成する電解槽５が容器本体２Ａに形成されているため、タンク４と電解槽５が上下に分離し、それが結合される関係である。このため、タンク４に被電解水を入れる場合は、容器本体２Ａからキャップ２Ｂを取り外し、タンク４に被電解水を入れた状態で、容器本体２Ａを逆さま状態でもって、容器本体２Ａとキャップ２Ｂとをネジ結合することとなり、被電解水の補充操作を行い難いこと、また、容器本体２Ａの電解槽５に電解水が残っておれば、この電解水が零れ落ちることが懸念される。
【００１０】
また、特許文献２のものは、手動スプレーポンプ３から下方へ延びたノズル３ａが容器２の中心に配置されるために、電解槽５が容器本体２Ａの上部の一方に偏った位置に配置されること、更に、電解槽５の下方に２本のバッテリとバッテリの電流を制御する基板が背中合わせに配置されるものであり、これらの構成によって容器２の直径が大きくなる。これらの点は、携帯用を創造するときの支障となるものである。
【００１１】
上記の点及び全体形態からして、特許文献２のものは、人が出入りする公共施設や病院の棚等、または家庭等の棚等に設置して使用するものであり、携帯用として開発されたものではないことが、一見して判明する。
【００１２】
最近、インフルエンザ等の流行により、手指や出先での便座等を手軽に除菌することが望まれる。このような点に着目して、本発明は、ハンドバッグ等に収容して持ち歩き、手指や出先での便座等の任意の部位を手軽に除菌することに適する携帯用電解水噴霧器を提供するものである。
【００１３】
本発明は、ハンドバッグ等に収容して持ち歩く携帯用として好適な外観が筒状をなす形態とし、各部の機能部分の構成及びそれらの配置構成が、上記特許文献のものとは異なる新規な構成とする。
【００１４】
そのため、本発明は、タンク内に水を補給し易くすること、及びタンク内の清掃をし易くするために、噴霧機構部の着脱に伴って水タンク部の中央部に配置した電解部も着脱されること、等の構成によって、新規な携帯用電解水噴霧器を提供するものである。
【００１５】
また、本発明は、水タンク部の中央部に電解部を配置することにより、噴霧機構部の作動によって水タンク部の水が噴霧機構部へ流れる水の流通路形成をし易くする、新規な携帯用電解水噴霧器を提供するものである。
【課題を解決するための手段】
【００１６】
第１発明の携帯用電解水噴霧器は、外観筒状をなし、中間部に上面に水補給開口を備えた筒状水タンク部を配置し、前記水補給開口を開閉するように前記水タンク部の上部に前記噴霧機構部が水密状態に着脱自在結合され、前記筒状水タンク部の下部に電源部を配置し、前記水タンク部内には前記水タンク部から流入した水を前記電源部から供給される電力によって電解水を生成するプラス電極とマイナス電極を含む筒状電解部を備え、前記筒状電解部は、前記水タンク部に対して前記噴霧機構部の着脱に伴って着脱されるよう前記噴霧機構部から前記水タンク部内に吊り下げ支持され、前記筒状電解部は、下部から前記水タンク部の水が流入しつつ前記電解水が上部から前記噴霧機構部へ流れる水の流通路を形成したことを特徴とする。
【００１７】
第２発明の携帯用電解水噴霧器は、第１発明において、前記電源部から前記プラス電極とマイナス電極への電力供給が、前記噴霧機構部の着脱に伴って接続遮断されることを特徴とする。
【００１８】
第３発明の携帯用電解水噴霧器は、第１発明または第２発明において、前記筒状電解部は、前記水タンク部内中央部に軸方向に配置され、且つ下部に前記水タンク部の水が流入する流入口を備え上部が前記噴霧機構部へ連通した前記軸方向の水の流通路を形成したことを特徴とする。
【００１９】
第４発明の携帯用電解水噴霧器は、第１発明乃至第３発明のいずれかにおいて、前記プラス電極とマイナス電極は、前記軸方向に並行配置され、前記電解部内の水の流通路が前記プラス電極とマイナス電極の対向面間のみで形成されることを特徴とする。
【００２０】
第５発明の携帯用電解水噴霧器は、第１発明乃至第４発明のいずれかにおいて、前記筒状電解部を取り囲んで通水孔を形成した装飾筒が配置され、前記装飾筒は前記水タンク部の底部と上部に亘って支持され、前記装飾筒の上端は前記水補給開口が臨む大きさに開口していることを特徴とする。
【００２１】
第６発明の携帯用電解水噴霧器は、第５発明において、前記水タンク部と前記装飾筒は円筒状をなし、前記筒状電解部は前記水タンク部内中央部に軸方向に配置され、前記装飾筒は前記水タンク部と同軸配置であることを特徴とする。
【００２２】
第７発明の携帯用電解水噴霧器は、第１発明乃至第６発明のいずれかにおいて、前記プラス電極とマイナス電極は、筒状体内に並行配置の板状電極で構成され、前記水の流通路が前記板状プラス電極と板状マイナス電極の対向面間で形成されたことを特徴とする。
【００２３】
第８発明の携帯用電解水噴霧器は、第１発明乃至第７発明のいずれかにおいて、前記噴霧機構部は、上下動可能に組み合わされた手動プッシュ部を備え、前記手動プッシュ部のプッシュ時の加圧空気となる空気の導入孔には、空気は通すが水は通さない選択膜を設けたことを特徴とする。
【発明の効果】
【００２４】
本発明は、インフルエンザ等の流行により、手指や出先での便座等を手軽に除菌することへの適用のために、ハンドバッグ等に収容して持ち歩き、手指や出先での便座等の任意の部位を手軽に除菌することに適する携帯用電解水噴霧器を提供できるものとなる。
【００２５】
本発明は、外観が筒状をなす形態であり、ハンドバッグ等に収容して持ち歩く携帯用として好適であり、そして、水タンク部に対して噴霧機構部と共に筒状電解部が着脱される構成であるため、タンク内への水の補給がし易く、また、水タンク内の清掃がし易い、新規な携帯用電解水噴霧器を提供できるものである。
【００２６】
本発明は、筒状水タンク部内の中央部に筒状電解部が配置支持されており、水タンク部の上面の水補給開口を開閉するように、水タンク部の上部に噴霧機構部が水密状態に着脱自在結合されるため、噴霧機構部と共に筒状電解部が着脱されることにより、その着脱操作が容易に行なえるものとなる。
【００２７】
本発明では、電源部から筒状電解部の電極への電力供給が、噴霧機構部の着脱に伴って接続遮断されるため、噴霧機構部の着脱の際の電気接続に係る特別な操作が必要なく、水の補給操作を簡単に行なえるものとなる。
【００２８】
本発明では、板状電極間が電解水の生成領域を形成すると共に、噴霧機構部の作動によって水タンク部の水が噴霧機構部へ流れる水の流通路を形成することにより、水タンク部の水を噴霧機構部へ流す流路形成がし易くなる。また、この構成によって、水タンク部の中心部に電解部を配置するコンパクト構成が達成でき、携帯用電解水噴霧器の小型化を図ることができる。
【００２９】
本発明では、また、電解部内の水の流通路が電解部のプラス電極とマイナス電極の対向面間のみで形成されることにより、電解部の小型化により水タンク部の小型化が達成され、携帯用電解水噴霧器の小型化を図ることができる。
【００３０】
本発明では、また、噴霧機構部に設けた空気の導入孔に、空気は通すが水は通さない選択膜を設けたことにより、噴霧時の空気の導入はスムースに行われるが、携帯用電解水噴霧器をハンドバッグ等に入れて持ち歩く際に、水タンク部の水が空気の導入孔から漏洩する虞もなく、安心な携帯用電解水噴霧器を提供できる。
【図面の簡単な説明】
【００３１】
【図１】本発明に係る携帯用電解水噴霧器の内部構成を示す説明図である。
【図２】本発明に係る携帯用電解水噴霧器の一体化された噴霧機構部と電解部が水タンク部から取り外された関係を示す説明図である。
【図３】本発明に係る携帯用電解水噴霧器の一体化された噴霧機構部と電解部が水タンク部から取り外された関係を拡大で示す説明図である。
【図４】本発明に係る携帯用電解水噴霧器の一体化された噴霧機構部と電解部を水タンク部に取り付けた状態の説明図である。
【図５】図４のプッシュ部をプッシュした状態を拡大で示す説明図である。
【図６】本発明に係る携帯用電解水噴霧器の電解部の電極構成を示す説明図である。
【図７】本発明に係る携帯用電解水噴霧器の電解部の３枚電極構成を示す横断面図である。
【図８】本発明に係る携帯用電解水噴霧器の電解部の５枚電極構成を示す横断面図である。
【図９】本発明に係る携帯用電解水噴霧器の電解部の４枚電極構成を示す横断面図である。
【図１０】本発明に係る携帯用電解水噴霧器の電解部のプラス電極とマイナス電極が同軸配置の円筒形である電極構成を示す説明図である。
【図１１】本発明に係る携帯用電解水噴霧器の電解部のプラス電極とマイナス電極一方が円柱形でありその外側に同軸配置の円筒形である電極構成を示す説明図である。
【図１２】本発明に係る携帯用電解水噴霧器の外観図である。
【図１３】本発明に係る携帯用電解水噴霧器の他の形態として、一体化された噴霧機構部と電解部が水タンク部から取り外された関係を拡大で示す説明図である。
【図１４】図１３に係る形態において一体化された噴霧機構部と電解部を水タンク部に取り付けた状態の説明図である。
【発明を実施するための形態】
【００３２】
本発明の携帯用電解水噴霧器は、外観筒状をなし、中間部に上面に水補給開口を備えた筒状水タンク部を配置し、前記水補給開口を開閉するように前記水タンク部の上部に前記噴霧機構部が水密状態に着脱自在結合され、前記筒状水タンク部の下部に電源部を配置し、前記水タンク部内には前記水タンク部から流入した水を前記電源部から供給される電力によって電解水を生成するプラス電極とマイナス電極を含む筒状電解部を備え、前記筒状電解部は、前記水タンク部に対して前記噴霧機構部の着脱に伴って着脱されるよう前記噴霧機構部から前記水タンク部内に吊り下げ支持され、前記筒状電解部は、下部から前記水タンク部の水が流入しつつ前記電解水が上部から前記噴霧機構部へ流れる水の流通路を形成した構成であり、以下に、その実施例を記載する。
【００３３】
なお、本発明における「除菌」とは、除菌前の菌数に比べて除菌後の菌数が、１００分の１以下になることを意味する。
【実施例１】
【００３４】
以下、本発明に係る携帯用電解水噴霧器１は、図に示すように、外観が円筒形、楕円形、多角形等の筒状をなし、中間部に上面開口２Ａの筒状水タンク部２を配置し、下部に電源部３を配置し、上部にプッシュ式噴霧機構部４を配置した構成である。図のものは、略同じ直径で構成された水タンク部２と電源部３によって円筒形本体部１Ａを形成し、この上にプッシュ式噴霧機構部４を配置した携帯用電解水噴霧器１を示している。
【００３５】
水タンク部２内の中央部には、水タンク部２の水が下部の流入口５Ｅから流入し上面開口５Ａから噴霧機構部４へ流出する筒状電解部５が、水タンク部２に対し噴霧機構部４の着脱に伴って着脱されるように、噴霧機構部４から水タンク部２内に吊り下げ支持され、水タンク部２内にその軸方向に配置される構成である。これによって、主として筒状電解部５の周囲が水タンク部２の水溜め部となり、水タンク部２の水が下部の流入口５Ｅから電解部５へ流入する。このため、携帯用電解水噴霧器１がプッシュ式噴霧機構部４を上にした垂直状態において、電解部５と水タンク部２の水位ＨＬが同レベルとなる。
【００３６】
図４等に示すように、電解部５は、その内部の水に浸るように、オゾンを発生させ電解水を生成するための電解水生成用電極６が収容されており、オゾンを発生することにより除菌用電解水としてのオゾン水を生成するものである。電解部５は、プラス電極６Ａとマイナス電極６Ｂが、携帯用電解水噴霧器１の軸方向、即ち、水タンク部２の中央部に、水タンク部２の軸方向に収容された筒状電解部５を形成している。電極６は、水タンク部２の軸方向に並行に延びた２枚乃至５枚のプラス電極６Ａとマイナス電極６Ｂで構成され、１枚のプラス電極６Ａと１枚のマイナス電極６Ｂの一対で構成することもできるが、除菌用電解水を効果的に生成するためには、電極６の好ましい形態として、プラス電極６Ａとマイナス電極６Ｂが交互配置となるように、少なくとも３枚の板状電極が、所定間隔を存してその板状面が対向配置される。
【００３７】
筒状電解部５の構成として、図６に示すように、筒状体５Ｐ内にプラス電極６Ａとマイナス電極６Ｂが所定間隔で収容された構成であり、プラス電極６Ａとマイナス電極６Ｂとの間が水の流通路となる電解室５Ｓである。プラス電極６Ａとマイナス電極６Ｂ間の電解室５Ｓ以外の部分に水が存在すると、この部分ではオゾンを含んでいない水が発生し、これがプッシュ式噴霧機構部４から噴霧されると、除菌効果が損なわれる。これを防止するために、電解部５は、プラス電極６Ａとマイナス電極６Ｂ間以外の部分を水が流れない筒状構成である。
【００３８】
電解部５の一つの実施構成として、図７に横断面で示すように、プラス電極６Ａとマイナス電極６Ｂが交互配置となるよう３枚の板状電極が絶縁材のスペーサ５Ｂを介して上下方向に略均一な所定間隔（０．１ｍｍ〜１ｍｍ）を存して対向配置され、中間の板状電極をプラス電極６Ａとし、その両側の板状電極をマイナス電極６Ｂとし、電気分解に作用しない非対向面は、絶縁材で覆うように、この３枚の電極の外周を合成樹脂製の熱収縮チューブで構成した筒状体５Ｐで覆われている。プラス電極６Ａとマイナス電極６Ｂが交互配置となるよう３枚の板状電極が絶縁性のスペーサ５Ｂを介して所定間隔に配置された状態のものを熱収縮チューブに挿入し、加熱により熱収縮チューブを収縮させることによって、熱収縮チューブが３枚の電極の周囲に密着することにより、筒状体５Ｐが形成されることとなる。これによって、プラス電極６Ａとマイナス電極６Ｂとの間で、水の流通路となる電解室５Ｓが形成され、電解室５Ｓに存在する水を電気分解してオゾンを発生させ、オゾン水としての電解水を効果的に生成することができる。そして、後述のようにプッシュ式噴霧機構部４の作動によって噴霧されるとき、実質的に電解室５Ｓ以外の部分を水が流れない筒状構成となる。
【００３９】
電解部５の軸方向に沿ったプラス電極６Ａとその両側のマイナス電極６Ｂの軸方向長さが、略電解部５の軸方向長さに亘る長さである。また、プラス電極６Ａとマイナス電極６Ｂのそれぞれの対向面の電気分解に作用する有効面積が略同じである。
【００４０】
筒状体５Ｐは絶縁材が好ましく、上記のように合成樹脂製の熱収縮チューブで構成してもよく、または、円筒形状または非円筒形状に成形した合成樹脂の成形品で構成してもよい。いずれにしても、プラス電極６Ａとマイナス電極６Ｂとの間で、水の流通路となる電解室５Ｓが形成され、実質的にプラス電極６Ａとマイナス電極６Ｂ間以外の部分を水が流れない筒状構成とすればよい。
【００４１】
電気分解を速やかに行なうため、及びまたは電解水濃度を高めるためには、図８に示すように、プラス電極６Ａとマイナス電極６Ｂが交互配置にて、絶縁性のスペーサ５Ｂを介して５枚の板状電極が上下方向に略均一な所定間隔（０．１ｍｍ〜１ｍｍ）を存して対向配置される形態とすることもできる。図７に示す場合と同様に、筒状体５Ｐが形成される。
【００４２】
３枚の板状電極の場合も、また５枚の板状電極も、後述のように、電極６に所定電圧（実施例では、５．５Ｖ〜５．６Ｖ）を印加することによって、プラス電極６Ａとマイナス電極６Ｂとの間の電解室５Ｓに存在する水を電気分解してオゾンを発生させ、オゾン水としての電解水を効果的に生成することができる。
【００４３】
上記の場合は、電極６は、水タンク部２の軸方向に並行に延びたプラス電極６Ａとマイナス電極６Ｂが交互配置となるように、３枚または５枚の板状電極が所定間隔を存してその板状面が対向配置しているが、図９のように、絶縁性のスペーサ５Ｂを介して４枚の板状電極が所定間隔を存してその板状面が対向するように、プラス電極６Ａとマイナス電極６Ｂが交互配置となるように構成することも可能である。また、図９において、プラス電極６Ａの位置をマイナス電極６Ｂとし、マイナス電極６Ｂの位置をプラス電極６Ａとするように配置することもできる。図７に示す場合と同様に、筒状体５Ｐが形成される。
【００４４】
２枚の板状電極の場合も、４枚の板状電極の場合も、また５枚の板状電極の場合も、電解部５の軸方向に沿ったプラス電極６Ａとその両側のマイナス電極６Ｂの軸方向長さが、略電解部５の軸方向長さに亘る長さである。また、プラス電極６Ａとマイナス電極６Ｂのそれぞれの対向面の電気分解に作用する有効面積が略同じである。
【００４５】
上記のように、板状のプラス電極６Ａとその両側の板状のマイナス電極６Ｂ間が、電解水の生成領域を形成すると共に、噴霧機構部４の作動によって水タンク部２の水が噴霧機構部４へ流れる水の流通路を形成するため、水タンク部２の水を噴霧機構部４へ流す流路形成がし易くなり、水タンク部２の中心部に電解部５を配置するコンパクト構成が達成できる。
【００４６】
また、上記のように、電解部５の軸方向に沿ったプラス電極６Ａとその両側のマイナス電極６Ｂの軸方向長さが、略電解部５の軸方向長さに亘る長さであることによって、電解部５全体を電解領域とすることができるため、携帯用電解水噴霧器１の全体長さを短くすることができる。
【００４７】
また、上記のように、電極６は、板状プラス電極６Ａと板状マイナス電極６Ｂの対向面が電解水生成作用面であり、非対向面が絶縁材で被覆された構成であるため、対向面での電解水生成作用が効果的に行なわれるものとなる。
【００４８】
また、上記のように、プラス電極６Ａとマイナス電極６Ｂのそれぞれの対向面の電気分解に作用する有効面積が略同じであることにより、電極のコストを下げることができる。
【００４９】
また、電極６の他の形態を図１０及び図１１に示す。図１０の形態は、プラス電極６Ａとマイナス電極６Ｂは、共に同軸配置の円筒形であり、内側の円筒形がプラス電極６Ａである場合は、その外側に同軸配置の円筒形がマイナス電極６Ｂである。また、内側の円筒形がマイナス電極６Ｂである場合は、その外側に同軸配置の円筒形がプラス電極６Ａである。いずれの場合も、外側の円筒形の電極の外側面は、合成樹脂製の熱収縮チューブで構成した筒状体５Ｐで覆われるか、円筒形に成形した合成樹脂製の筒状体５Ｐで覆われる。また、他の構成として、外側の円筒形の電極が筒状体５Ｐを兼用する構成とすることができる。この場合、外側の円筒形の電極の外側面は、絶縁材の層が形成される。
【００５０】
また、図１１の形態は、プラス電極６Ａとマイナス電極６Ｂのうち、一方が円柱形であり、その外側に同軸配置の円筒形であり、中心部の円柱がプラス電極６Ａである場合は、その外側に同軸配置の円筒形がマイナス電極６Ｂである。また、中心部の円柱がマイナス電極６Ｂである場合は、その外側に同軸配置の円筒形がプラス電極６Ａである。いずれの場合も、外側の円筒形の電極の外側面は、合成樹脂製の熱収縮チューブで構成した筒状体５Ｐで覆われるか、円筒形に成形した合成樹脂製の筒状体５Ｐで覆われる。また他の構成として、外側の円筒形の電極が筒状体５Ｐを兼用する構成とすることができる。この場合、外側の円筒形の電極の外側面は、絶縁材の層が形成される。
【００５１】
水タンク部２は上部に上面開口２Ａを形成しており、これが水補給開口２Ａとなる。この水補給開口２Ａを開閉するように、水タンク部２の上部にプッシュ式噴霧機構部４が水密状態に着脱自在結合である。具体的には、水タンク部２の水補給開口２Ａ側へ噴霧機構部４を取り付けたとき、水補給開口２Ａが閉じた状態となる。また、噴霧機構部４を水タンク部２から取り外したとき、水補給開口２Ａが開放される状態となり、この水補給開口２Ａから水タンク部２への水の補給を行なうことができる。
【００５２】
水タンク部２の水補給開口２Ａ周縁部、即ち上面開口２Ａ周縁部には、水タンク部２内の水を押圧しつつ電解部５の電解水が先端のノズル４Ａから噴霧するための噴霧機構部４が、水タンク部２に水密状態に着脱自在結合となっている。噴霧機構部４は、種々の形態があり、市販品を採用することもできるが、図示の噴霧機構部４では、円筒形のプッシュ部４Ｐが、環状パッキン１２によって水密状態を保ちつつ、円筒形の噴霧本体部４Ｂに上下動可能に組み合わされ、プッシュ部４Ｐの側面には、小孔のノズル４Ａが開口している。噴霧本体部４Ｂの下端開口部が水タンク部２の上面開口２Ａ周縁とネジ結合部１１によって着脱自在結合となっており、噴霧本体部４Ｂと水タンク部２とは、環状パッキン１０によって水密状態である。
【００５３】
噴霧本体部４Ｂには、水タンク部２内に延びた連通路部材１３が、一体的に設けられている。この連通路部材１３は、中心部に上下に貫通した電解水導出路７Ｂを形成している。噴霧機構部４の中心部には、ノズル４Ａへ通じるように、上下に貫通した電解水導出路７が形成されている。プッシュ部４Ｐはノズル４Ａへ通じる小径の電解水導出路７Ａを形成し、電解水導出路７Ａが下方へ延出する延出部４Ｐ１を形成している。この延出部４Ｐ１は、電解水導出路７Ｂの上方から、連通路部材１３内に形成した電解水導出路７Ｂへ侵入して、連通路部材１３に水密状態で上下動可能に組み合わされている。これによって、電解水導出路７Ａと電解水導出路７Ｂが連通状態となって電解水導出路７が形成され、電解部５からノズル４Ａへ通じる電解水導出路７となる。
【００５４】
電解水導出路７Ｂには、電解水漏洩防止機構を備えている。この電解水漏洩防止機構は、図４に示すように、プッシュ部４Ｐが押圧されないときは、コイルバネ４０によって下方へ付勢されるボール４１によって電解水導出路７Ｂを閉じている。そして、後述のように、プッシュ部４Ｐの押圧によって、電解部５の電解水がコイルバネ４０に抗してボール４１を押し上げ、電解水導出路７Ｂの下端が開放されるため、電解部５の電解水は電解水導出路７を通って、ノズル４Ａから噴出する。この電解水漏洩防止機構によって、プッシュ部４Ｐが押圧されない状態において、携帯用電解水噴霧器１を上下逆さまにしたとき、電解部５の電解水が電解水導出路７を通ってノズル４Ａから漏洩しないようになる。
【００５５】
噴霧本体部４Ｂ内にはポンプ室１６が形成されている。実施形態の一つとして図４に示すように、噴霧本体部４Ｂ内にプッシュ部４Ｐの空気押圧部４Ｐ２と、連通路部材１３の基部上面との間にポンプ室１６が形成されている。ポンプ室１６は、空気導入孔９によって外気と連通し、且つ、連通路部材１３の基部を貫通した空気の連通路１５及び水タンク部２の水補給開口２Ａによって、水タンク部２内と連通している。ポンプ室１６に設けたコイルバネ８によって、プッシュ部４Ｐは本体部４Ｂから上方へ突出状態に付勢され、この状態でポンプ室１６は空気導入孔９によって外気と連通した状態である。連通路部材１３の基部を貫通した空気の連通路１５は、１箇所でもよいが、略１２０度ピッチで周囲３箇所に形成してもよい。なお、ポンプ室１６の形成のために、例えば、噴霧本体部４Ｂは、その上面が接着等にて一体化される別部材のトップ部材４Ｂ１で形成された構成となっている。
【００５６】
本発明では、筒状電解部５は、水タンク部２に対して噴霧機構部４の着脱に伴って着脱されるよう噴霧機構部４から水タンク部２内に吊り下げ支持され、下部から水タンク部２の水が流入しつつ電解水が上部から噴霧機構部４へ流れる水の流通路を形成した構成である。これに関し、具体的な構成を以下に説明する。
【００５７】
筒状電解部５は、上記のようにプラス電極６Ａとマイナス電極６Ｂが、携帯用電解水噴霧器１の軸方向、即ち、水タンク部２の中央部に、水タンク部２の軸方向となるように、噴霧機構部４から吊り下げ支持されている。具体的には、筒状電解部５は、連通路部材１３の下端部に上部支持部１７Ｂを介して固定状態に支持されており、これによって、噴霧機構部４から固定状態に吊り下げ支持される。
【００５８】
筒状電解部５の筒状体５Ｐの下端部は開放されており、プラス電極６Ａとマイナス電極６Ｂとの間の電解室５Ｓが開放されている。これによって、筒状電解部５の下端部には、水タンク部２の水が筒状電解部５へ流入する流入口５Ｅが形成された状態である。具体的には、筒状電解部５は筒状体５Ｐで覆われており、それによって、筒状電解部５の下端部には、電解室５Ｓへ水タンク部２の水が流入する流入口５Ｅが形成された状態である。
【００５９】
後述の電源部３から筒状電解部５の電極であるプラス電極６Ａとマイナス電極６Ｂへの電力供給が、筒状水タンク部２に対する噴霧機構部４の着脱に伴って接続遮断されるように、電気的接続部６０を設けている。
【００６０】
電気的接続部６０は、図１乃至図５に示すように、電源部３のプラス電源部とマイナス電源部へリード線６１にて接続された筒状水タンク部２側の一次側接続部６０Ａと、噴霧機構部４に吊り下げ支持された筒状電解部５のプラス電極６Ａとマイナス電極６Ｂへリード線６２にて接続された筒状電解部５側の二次側接続部６０Ｂとの着脱によって、筒状電解部５のプラス電極６Ａとマイナス電極６Ｂへの電力供給状態と遮断状態になる構成である。図の構成では、例えば、左側の一次側接続部６０Ａと二次側接続部６０Ｂが、プラス電極６Ａへの電気的接続部６０１であり、右側の一次側接続部６０Ａと二次側接続部６０Ｂが、マイナス電極６Ｂへの電気的接続部６０２となるように、プラス電極６Ａへの電気的接続部６０１とマイナス電極６Ｂへの電気的接続部６０２によって、電気的接続部６０を構成している。
【００６１】
携帯用電解水噴霧器１の組み立てのし易さを考慮して、電源部３は、環状パッキン２１を介して水タンク部２と相互にネジ結合部２２にて、使用者が取り外しできないように固定的に水密状態に結合されている。電源部３は、合成樹脂製の筺体２３内に、電源用電池２４、制御回路部２５、ＬＥＤ２６等が収容されている。図１に示すように、制御回路部２５は、操作部２７Ｐによって電源部３の外面から操作されるスイッチ２７によって電源用電池２４を電源として作動して、電源用電池２４から制御回路部２５へ電力が供給され、制御回路部２５から電極６へ電力が供給されるように電気的に接続され、電極６を構成するプラス電極６Ａとマイナス電極６Ｂへ電力を供給する。電源部３は、筺体２３の外面が装飾のためにアルミニウムなどの金属製装飾体２８によって覆われている。ＬＥＤ２６は、携帯用電解水噴霧器１の外方から発光が目視できると共に、水が侵入しない防水構造によって、筺体２３内に取り付けられている。
【００６２】
電源用電池２４は、単３または単４の再充電可能な１．２ボルト〜１．５ボルトの２次電池であり、筺体２３内に形成した電池収容部２３Ａに収容されており、制御回路部２５の電源として機能する。電源用電池２４の充電は、電磁誘導にて充電する所定の充電器へセットすることにより達成できる。なお、電源用電池２４を電源部３から取り外し可能な構成によって、電源用電池２４を電源部３から取り外し、所定の充電器へセットすることにより充電可能であり、または、新規の電池と交換可能となる。
【００６３】
電解部２でオゾン水を生成するためには、所定電圧以上の電力がプラス電極６Ａとマイナス電極６Ｂへ印加されることが必要である。このため、電力電源用電池２４は、複数の電池を直列接続すれば高い電圧が得られるが、携帯用電解水噴霧器１が大型化するため、本発明では、単３または単４の再充電可能な１．２ボルト〜１．５ボルトの２次電池を１個使用し、この電源用電池２４の電圧を昇圧回路２５Ａによって昇圧して電極６に所定電圧（実施例では、５．５ボルト〜５．６ボルト）を印加する。制御回路部２５は、電解室５Ｓ内での除菌用オゾン水の生成に必要な電圧を電極６へ印加するために、電源用電池２４を電源として、電源用電池２４の電圧を所定の電圧（実施例では、５．５ボルト〜５．６ボルト）まで昇圧するための昇圧回路２５Ａを備え、且つ、スイッチ２７をＯＮしたときから電池２４の電力が昇圧回路２５Ａを介して電極６へ供給される時間を制限するタイマ回路２５Ｂを備えている。
【００６４】
携帯用電解水噴霧器１において、電源用電池２４の電力を電極６へ供給する方式として、タイマ回路を設けずに、使用者が携帯用電解水噴霧器１を使用する際にスイッチ２７をＯＮし、使用が終わったときスイッチ２７をＯＦＦするようにすることも可能であるが、もし、スイッチ２７をＯＦＦし忘れたときは、電池２４の電力が電極６へ供給され続けるため、所謂電池２４切れの状態になり易い。本発明では、このようなことを防止するために、スイッチ２７として、操作部２７Ｐを押圧したときのみ瞬時の間ＯＮする構成とし、例えば、操作部２７Ｐを押圧したときＯＮし直ちに自動ＯＦＦする自動復帰式の押圧式スイッチ、または操作部２７Ｐを押圧したときＯＮし瞬時にＯＦＦするトランジスタを含む回路構成等を採用し、スイッチ２７のＯＮからタイマ回路２５Ｂが作動し、所定時間（実施例では１０秒）だけ電池２４の電力を昇圧回路２５Ａで昇圧した電圧が電極６へ供給されるようにしている。
【００６５】
上記のように、昇圧回路によって電解室５Ｓ内での除菌用オゾン水の生成に必要な電圧を電極６へ印加するため、電源用電池２４は１．２Ｖ〜１．５Ｖの単３または単４電池が使用でき、小型化となる。また、スイッチ２７をＯＮしたときから所定時間（実施例では１０秒）のみ電極６に通電することによって、除菌の必要時のみ電解水を生成するため、電池２４の寿命を数年に亘るように長く保つことができる。
【００６６】
上記のように、筒状電解部５が噴霧機構部４から固定状態に吊り下げ支持された状態の噴霧機構部４を、図２に示すように、水タンク部２から取り外した状態において、水タンク部２の水補給開口２Ａから水タンク部２へ水を補給する。この補給された水は、下部の流入口５Ｅから筒状電解部５内にも溜まる。この溜まった水の量は、水タンク部２が透明であれば、外部から目視できる。このように水タンク部２へ水を補給した状態で、水タンク部２の水補給開口２Ａ側へ噴霧機構部４をネジ結合部１１によって取り付ける。この取り付けに伴って、噴霧本体部４Ｂと水タンク部２とは、環状パッキン１０によって水密状態となり、筒状電解部５が水タンク部２の中央部に軸方向に配置される。
【００６７】
このように、水タンク部２の水補給開口２Ａ側へ噴霧機構部４をネジ結合部１１することによって、左側の一次側接続部６０Ａと二次側接続部６０Ｂが当接して、プラス電極６Ａへの電気的接続部６０１が接続され、また、右側の一次側接続部６０Ａと二次側接続部６０Ｂが当接して、マイナス電極６Ｂへの電気的接続部６０２が接続状態となる。
【００６８】
この状態で、操作部２７Ｐを押圧してスイッチ２７をＯＮすることによって、タイマ回路２５Ｂが作動し、電池２４の電力を昇圧回路２５Ａで昇圧した電圧が、各電気的接続部６０１及び６０２を通して所定時間（実施例では１０秒）だけ電極６へ供給される。この所定時間（実施例では１０秒）だけＬＥＤ２６が発光する。
【００６９】
この所定時間（実施例では１０秒）のうちに、コイルバネ８によって本体部４Ｂから上方へ突出状態に付勢されているプッシュ部４Ｐを押圧することによって、延出部４Ｐ１がコイルバネ４０に抗してボール４１を下方へ押すと共に、ポンプ室１６の空気はプッシュ部４Ｐの空気押圧部４Ｐ２が空気導入孔９を通り過ぎた位置から、連通路１５を通して水タンク部２内の水面ＨＬの上面空間ＡＳに加圧空気が作用し、この加圧空気によって、水タンク部２内の水が流入口５Ｅから電解部５内へ押し込まれる。この加圧作用によって、電解部５の電解水がコイルバネ４０に抗してボール４１を押し上げ、電解水導出路７Ｂの下端が開放されるため、電解部５の電解水は電解水導出路７を通って、ノズル４Ａから噴出する。この作用がプッシュ部４Ｐの１プッシュごとに行なわれるため、上記所定時間（実施例では１０秒）のうちに、プッシュ部４Ｐを複数回プッシュすることによって、その都度電解水を噴霧することができる。この所定時間（実施例では１０秒）経過にてＬＥＤ２６は消灯（非発光）するが、再度操作部２７Ｐを押圧してスイッチ２７をＯＮすることによって、上記所定時間（実施例では１０秒）が開始するため、この時間内にプッシュ部４Ｐを複数回プッシュすることによって、その都度電解水を噴霧することができる。
【００７０】
水タンク部２への水の補給に際しては、水タンク部２に対して、ネジ結合部１１の結合が外れる方向へ噴霧本体部４Ｂを回転させることにより、水タンク部２と噴霧本体部４Ｂとの結合が外れると共に、筒状電解部５も水タンク部２から外れるため、水タンク部２の上面の水補給開口２Ａが開放され、上記同様に、水補給開口２Ａから水タンク部２への水の補給を行うことができる。
【００７１】
図１２に示すように、水タンク部２を透明部材で構成して、内部の水の量が目視できるようにする場合、筒状電解部５を覆う装飾を施すために、水タンク部２内には、筒状電解部５を取り囲むように円筒状の水タンク部２と同軸にて円筒状の装飾筒５０を収容した構成とすることができる。この場合、装飾筒５０は、その上端が水補給開口２Ａよりも大きく開口するように、水タンク部２の水補給開口２Ａよりも大径でもって、水タンク部２の上部と下部に支持され、筒状電解部５と間隔をもって筒状電解部５を取り囲むように、水タンク部２と同軸に配置されている。そして、筒状電解部５の上部が、この装飾筒５０に上部支持部１７Ｂを介して噴霧機構部４に吊り下げ支持されている。装飾筒５０は、多数の通水孔５０Ａを有し、水タンク部２内の水が筒状電解部５の下部の流入口５Ｅへ流通し易くしている。
【００７２】
装飾筒５０は、水タンク部２内の水が自由に流通するための多数の通水孔５０Ａを形成したステンレスで構成されたパンチングメタル等で構成され、多角形の筒状でもよいが実施例では水タンク部２が円筒状であるため、これに合わせて円筒状である。円筒状水タンク部２の中心軸線上に筒状電解部５が配置され、筒状電解部５を取り囲むように円筒状装飾筒５０が、筒状水タンク部２の底部と上部に亘って支持され、筒状水タンク部２と同軸配置である。また、筒状水タンク部２と円筒状装飾筒５０を透明部材にて構成することにより、電解部５を透視できるようにすることもできる。
【００７３】
この構成でも、筒状水タンク部２の上面の水補給開口２Ａを開閉するように、噴霧機構部４が筒状水タンク部２に対して着脱される構成、この着脱に伴って筒状電解部５のプラス電極６Ａとマイナス電極６Ｂへの電力供給状態と遮断状態になる構成、水タンク部２が筒状電解部５へ流入しつつ電解水がノズル部４Ａから噴霧される構成、及び水補給開口２Ａから水タンク部２への水の補給等は、上記同様である。
【００７４】
携帯用電解水噴霧器１をハンドバッグなどに入れて使用しないときに、噴霧機構部４から電解水が不用意に噴出しないようするために、本体部４Ｂには、プッシュ部４Ｐを覆うノズルカバー１８が着脱自在に取り付けられている。
【００７５】
また、携帯用電解水噴霧器１をハンドバッグなどに入れて持ち歩くときに、水タンク部２の水が空気導入孔９から流出しないようにするため、及び、水タンク部２内の気泡抜きのために、空気導入孔９には、空気は通すが水は通さない選択膜５２を設けている。
【００７６】
携帯用電解水噴霧器１の小型化を達成するためには、水タンク部２の大きさを小さくすることが望まれるが、使用性を考慮すれば、水タンク部２の内容積としては、数十回の噴霧ができる水の量を確保する必要がある。
【００７７】
本発明の携帯用電解水噴霧器１は、ハンドバッグ等に入れて持ち歩く場合の便利さのために、外観筒状をなす。その一つの実施形態を図１２に示す。これにおいて、携帯用電解水噴霧器１は、外形寸法において、透明アクリルで成形した筒状水タンク部２と電源部３が直径２２ｍｍの円筒形であり、電源部３の長さが７８ｍｍ、タンク部２の長さが５３ｍｍ、携帯用電解水噴霧器１の全体の長さが１６３ｍｍである。
【００７８】
そして、図１１に示すように、プラス電極６Ａとマイナス電極６Ｂが交互配置となるよう３枚の板状電極が対向配置され、中間の板状電極をプラス電極６Ａとし、その両側の板状電極をマイナス電極６Ｂとし、この３枚の電極の外周を合成樹脂製の熱収縮チューブで覆って筒状体５Ｐを形成する。電極６に印加される電圧は、１．２ボルト〜１．５ボルトの単３または単４電池２４を昇圧回路によって昇圧して５．５ボルト〜５．６ボルトとしている。実質的に電解水を生成するプラス電極６Ａとマイナス電極６Ｂの対向する面の面積をそれぞれ１．５平方センチメートルとし、プラス電極６Ａとマイナス電極６Ｂの間隔を０．１ｍｍ〜１ｍｍの範囲内での所定の間隔とすることにより、電解部５の小型化を図りつつ、所定の濃度のオゾン水と、１回の所定の噴霧量（実施例では、０．１ミリリットル）を確保している。
【００７９】
この場合、タンク部２内に満タンで貯留される水の量は、１回の噴霧量の数十倍の１０ミリリットルであり、満タン時に電解部５の電解室５Ｓに貯留される水の量は、１回の噴霧量よりも少ない０．０６ミリリットルである。このため、１回の噴霧操作によって、電解室５Ｓ内の電解水の量よりも若干多い量の水が、タンク部２内から流入口５Ｅを通して電解部５内へ押し込まれ、電解室５Ｓ内の電解水の全量が電解室５Ｓから噴霧機構部４へ押し出される。そのため、プラス電極６Ａとマイナス電極６Ｂとの間の電解水が完全に入れ替わると同時に、マイナス電極６Ｂの表面の気泡も一緒に上方の噴霧機構部４へ流れ、引き続いて行なわれる噴霧では、気泡を含まない正規の電解水をノズル４Ａから噴霧することができる。
【００８０】
なお、電池２４としては、出力が大きく、一回の満充電によって数ヶ月乃至数年に亘って使用可能な長寿命のものであれば構わない。
【００８１】
なお、電源部３の外面の金属製装飾体２８は、意匠効果のために外面が化学的に梨地処理されたアルミニウムで形成した不透明材である。
【００８２】
図１３及び図１４には、電気的接続部６０の他の形態を採用した一体化された噴霧機構部と電解部が水タンク部か取り外し可能に構成した携帯用電解水噴霧器を示している。図１３は、一体化された噴霧機構部と電解部が水タンク部から取り外された関係を拡大で示す説明図であり、図１４は、一体化された噴霧機構部と電解部を水タンク部に取り付けた状態の説明図である。
【００８３】
図１３及び図１４において、図３乃至図５の構成と異なるところは、プラス電極６Ａへの電気的接続部６０１とマイナス電極６Ｂへの電気的接続部６０２が、上下に分離した位置に配置されることによって、一次側接続部６０Ａと二次側接続部６０Ｂの接続が良好に行なえるようにしたものである。
【００８４】
具体的には、筒状水タンク部２の上面の水補給開口２Ａを形成する環状口部の外周下端部に、プラス電極６Ａへの一次側接続部６０Ａを環状に配置し、これに対向するように噴霧機構部４に、プラス電極６Ａへの二次側接続部６０Ｂを環状に配置して、プラス電極６Ａへの電気的接続部６０１を構成する。また、筒状水タンク部２の上面の水補給開口２Ａを形成する環状口部の上端に、マイナス電極６Ｂへの一次側接続部６０Ａを環状に配置し、これに対向するように噴霧機構部４に、マイナス電極６Ｂへの二次側接続部６０Ｂを環状に配置して、マイナス電極６Ｂへの電気的接続部６０２を構成する。なお、環状パッキン１０は、電気的接続部６０２の内側に配置している。
【００８５】
この構成によって、筒状水タンク部２の上面の水補給開口２Ａに噴霧機構部４を取り付けるとき、噴霧機構部４のねじ込みのいずれの角度位置においても、プラス電極６Ａへの一次側接続部６０Ａと二次側接続部６０Ｂの接触が達成でき、また、マイナス電極６Ｂへの一次側接続部６０Ａと二次側接続部６０Ｂの接触が達成できることとなる。
【００８６】
図１３及び図１４の構成において、図３乃至図５の構成と同じ機能部には同じ符号付しており、この構成でも、筒状水タンク部２の上面の水補給開口２Ａを開閉するように、噴霧機構部４が筒状水タンク部２に対して着脱される構成、この着脱に伴って筒状電解部５のプラス電極６Ａとマイナス電極６Ｂへの電力供給状態と遮断状態になる構成、水タンク部２が筒状電解部５へ流入しつつ電解水がノズル部４Ａから噴霧される構成、及び水補給開口２Ａから水タンク部２への水の補給等は、上記同様である。
【００８７】
上記のいずれの構成の場合も、電解部５でオゾンを発生してオゾン水である電解水を生成するものであるが、次亜塩素酸発生用の電極を用いれば、電極間に塩化物イオンを含む水を貯留させ、この水を電気分解して次亜塩素酸を発生させて、次亜塩素酸水である電解水を生成するものとすることもできる。次亜塩素酸水を生成する場合は、塩化物イオンを含む上水道水等、使用する水が制限されるため、水の補給場所の制限を受けるが、オゾン水を生成する場合は水の種類は問わないため、水がある場所であればどこでも補給できることとなり、使用上の便利さが向上したものとなる。また、アルコール等の消毒液を使用する場合は、補給用の消毒液を持ち歩く必要があるが、オゾン水を生成する場合はその必要がなく、水がある場所であればどこでも補給できるものとなる。
【００８８】
携帯用電解水噴霧器１は、長期間使用しているうちに、電極６の表面にカルシウム等のスケールが付着して、電気分解作用が阻害されるため、時々、タンク部２内にクエン酸溶液を入れて電極６を浸すことにより、電極６の表面に付着したカルシウム等のスケールを取り除くことができる。
【産業上の利用可能性】
【００８９】
本発明に係る携帯用電解水噴霧器は、上記実施例に示した構成に限定されず、種々の形態のものに適用できるものであり、本発明の技術範囲において種々の形態を包含するものである。
【符号の説明】
【００９０】
１・・・・・携帯用電解水噴霧器
２・・・・・筒状水タンク部
２Ａ・・・・筒状水タンク部の上面開口
３・・・・・電源部
４・・・・・プッシュ式噴霧機構部
４Ａ・・・・ノズル
４Ｐ・・・・プッシュ部
５・・・・・筒状電解部
５Ａ・・・・筒状電解部の上面開口
５Ｅ・・・・流入口
５Ｐ・・・・筒状体
５Ｓ・・・・電解室
６・・・・・電極
６Ａ・・・・プラス電極またはマイナス電極
６Ｂ・・・・プラス電極またはマイナス電極
７・・・・・電解水導出路
７Ａ・・・・電解水導出路
７Ｂ・・・・電解水導出路
８・・・・・コイルバネ
９・・・・・空気導入孔
１０・・・・環状パッキン
１１・・・・ネジ結合部
１２・・・・環状パッキン
１３・・・・連通路部材
１６・・・・ポンプ室
１５・・・・空気の連通路（水補給開口）
１７Ａ・・・下部支持部
１７Ｂ・・・上部支持部
１８・・・・ノズルカバー
２０・・・・保護体
２１・・・・環状パッキン
２５・・・・制御回路部
２６・・・・ＬＥＤ
２７・・・・スイッチ
５０・・・・円筒状装飾筒
５０Ａ・・・通水孔
５１・・・・リング
５２・・・・選択膜
５３・・・・第２の上部支持部
６０・・・・電気的接続部
６０Ａ・・・一次側接続部
６０Ｂ・・・二次側接続部
６０１・・・プラス電極への電気的接続部
６０２・・・マイナス電極への電気的接続部
【図１】
2011110540.tif 000003
【図２】
2011110540.tif 000004
【図３】
2011110540.tif 000005
【図４】
2011110540.tif 000006
【図５】
2011110540.tif 000007
【図６】
2011110540.tif 000008
【図７】
2011110540.tif 000009
【図８】
2011110540.tif 000010
【図９】
2011110540.tif 000011
【図１０】
2011110540.tif 000012
【図１１】
2011110540.tif 000013
【図１２】
2011110540.tif 000014
【図１３】
2011110540.tif 000015
【図１４】
2011110540.tif 000016